(57)【特許請求の範囲】
【請求項１】
装置内に収納される少なくとも一つの収納物を前記装置から出し入れする開口に取り付けられるキャップ部材であって、
前記開口を蓋するキャップ部と、
一端が前記キャップ部に固定され、前記キャップ部が前記開口を蓋した状態で前記装置内に収納されるシャフト部と、
前記シャフト部に設けられ、前記キャップ部を前記開口から取り外すときに、前記開口を蓋するときの前記キャップ部の位置から前記シャフト部を軸として前記キャップ部を所定方向に予め決められた角度に回転させることで、前記装置内に収納された前記少なくとも一つの収納物に係合可能になる、係合部と、
を備える、キャップ部材。
【請求項２】
前記係合部は、前記キャップ部から予め定められた距離をあけて設けられ、前記キャップ部が前記開口を蓋するときの前記キャップ部の位置から前記所定方向と逆向きに前記予め定められた角度の位置において、前記シャフト部からの前記シャフト部の軸方向の側方に突出する突出片である、請求項１に記載のキャップ部材。
【請求項３】
前記シャフト部の他端に、前記シャフト部の軸方向の側方に突出するフランジ部を有する、請求項１又は２に記載のキャップ部材。
【請求項４】
装置であって、
前記装置内に、少なくとも一つの収納物を収納する少なくとも一つの収納部と、
前記少なくとも一つの収納物を前記装置から取り出す開口に取り付けられるキャップ部材と、を備え、
前記キャップ部材は、
前記開口を蓋するキャップ部と、
一端が前記キャップ部に固定され、前記キャップ部が前記開口を蓋した状態で前記装置内に収納されるシャフト部と、
前記シャフト部に設けられ、前記キャップ部を取り外すときに、前記開口を蓋するときの前記キャップ部の位置から前記シャフト部を軸として前記キャップ部を所定方向に予め決められた角度に回転させることで、前記装置内に収納された前記少なくとも一つの収納物に係合可能になる、係合部と、
を備える、装置。
【請求項５】
前記少なくとも一つの収納物は、前記シャフト部の周囲に配置された複数の収納物を有し、
前記係合部は、前記キャップ部を取り外すときに、前記開口を蓋するときの前記キャップ部の位置から前記シャフト部を軸として前記所定方向に前記キャップ部を前記予め決められた角度に回転させることで、前記複数の収納物のうちの第一収納物に係合可能になり、前記キャップ部を蓋するときの前記キャップ部の位置から前記シャフト部を軸として前記キャップ部を前記予め決められた角度とは異なる予め決められた第二角度に回転させることで、前記複数の収納物のうちの他の第二収納物に係合可能になる、係合部と、
を備える、請求項４に記載の装置。
【発明の詳細な説明】
【技術分野】
【０００１】
本出願はキャップ部材及びキャップ部材を備えた装置に関する。
【背景技術】
【０００２】
携帯電話、スマートフォン、タブレット等のモバイル機器には、電話番号を特定するために固有のＩＤ番号が記録されＩＣカードであるＳＩＭ（Ｓｕｂｓｃｒｉｂｅｒ  Ｉｄｅｎｔｉｔｙ  Ｍｏｄｕｌｅ）カードが内蔵されている。そして、電話番号又は契約会社を変更したときＳＩＭカードを交換するようになっている。従来、ＳＩＭカード及びそのＳＩＭカードを載せたＳＩＭトレイ（以下、収納物と呼ぶ場合がある）の取り出しは、例えば側面に設けられたキャップを外して収納物を指で挟み引き抜くことにより行っていた。しかしながら、電子機器の薄型化、ＳＩＭカードの小型化が進むにつれ収納物の取り出し作業が困難となってきている。このような、収納物を取り出すために、特許文献１には、ポータブルコンピュータ等の携帯形機器から、フロッピー（登録商標）ディスク駆動装置等のパック状機器を排出するときに用いられる専用のイジェクタが開示されている。
【先行技術文献】
【特許文献】
【０００３】
【特許文献１】特開平９−３０５２５６号公報
【発明の概要】
【発明が解決しようとする課題】
【０００４】
しかしながら、薄型化が進む電子機器に、別途専用のイジェクタを設けることは困難であり、専用のイジェクタを用いることなく収納物の取り出しを支援することが望まれていた。
【０００５】
上述の問題に鑑み、装置内に収納された収納物の取り出しを支援するキャップ部材を提供することを目的とする。
【課題を解決するための手段】
【０００６】
１つの形態によれば、装置内に収納される少なくとも一つの収納物を装置から取り出す開口に取り付けられるキャップ部材であって、開口を蓋するキャップ部と、一端が前記キャップ部に固定され、キャップ部が開口を蓋した状態で装置内に収納されるシャフト部と、シャフト部に設けられ、キャップ部を開口から取り外すときに、開口を蓋するときのキャップ部の位置からシャフト部を軸としてキャップ部を所定方向に予め決められた角度に回転させることで、装置内に収納された少なくとも一つの収納物に係合可能になる、係合部と、を備える、キャップ部材、が提供される。
【０００７】
他の形態によれば、装置であって、装置内に、少なくとも一つの収納物を収納する少なくとも一つの収納部と、少なくとも一つの収納物を装置から取り出す開口に取り付けられるキャップ部材と、を備え、キャップ部材は、開口を蓋するキャップ部と、一端がキャップ部に固定され、キャップ部が開口を蓋した状態で装置内に収納されるシャフト部と、シャフト部に設けられ、キャップ部を取り外すときに、開口を蓋するときのキャップ部の位置からシャフト部を軸としてキャップ部を所定方向に予め決められた角度に回転させることで、装置内に収納された少なくとも一つの収納物に係合可能になる、係合部と、を備える、装置、が提供される。
【発明の効果】
【０００８】
開示のキャップ部材により、装置内に収納された収納物の取り出しを支援することができる。
【図面の簡単な説明】
【０００９】
【図１】開示のキャップ部材を備える電子機器の全体図であり、一部が切り欠かれ、ＳＩＭトレイ等が電子機器内に収納された状態を示す図である。
【図２】ＳＩＭカードを載せたＳＩＭトレイを示す斜視図である。
【図３】開示のキャップ部材の第一実施形態を示す斜視図である。
【図４】（ａ）は開示するキャップ部材を電子機器の開口に取り付けた状態を示す斜視図であり、（ｂ）は他の方向から見た斜視図である。
【図５】（ａ）は開示するキャップ部材を電子機器の開口から取り外した状態を示す斜視図であり、（ｂ）は他の方向から見た斜視図である。
【図６】（ａ）は開示するキャップ部材を電子機器の開口から取り外した後、回転させた状態を示す斜視図であり、（ｂ）は他の方向から見た斜視図である。
【図７】（ａ）は開示するキャップ部材をさらに引き抜いてＳＩＭトレイを排出した状態を示す斜視図であり、（ｂ）は他の方向から見た斜視図である。
【図８】開示のキャップ部材の第二実施形態を示す斜視図である。
【図９】（ａ）は開示するキャップ部材を電子機器の開口に取り付けた状態を示す斜視図であり、（ｂ）は他の方向から見た斜視図である。
【図１０】（ａ）は開示するキャップ部材を電子機器の開口から取り外した状態を示す斜視図であり、（ｂ）はキャップ部材を回転させた状態を示す斜視図である。
【図１１】（ａ）は開示するキャップ部材をさらに引き抜いて一方のＳＩＭトレイを取り出した状態を示す斜視図であり、（ｂ）は他の方向から見た斜視図である。
【図１２】（ａ）は開示するキャップ部材を他の方向に回転させて引き抜くことで他方のＳＩＭトレイを取り出した状態を示す斜視図であり、（ｂ）は他の方向から見た斜視図である。
【図１３】第一実施形態のキャップ部材が取り付けられる開口を示す斜視図である。
【図１４】第二実施形態のキャップ部材が取り付けられる開口を示す斜視図である。
【図１５】三つ以上のＳＩＭトレイとシャフト部との位置関係を示す図である。
【図１６】二つの係合部を有するシャフト部の例を示す図である。
【発明を実施するための形態】
【００１０】
以下、添付図面を用いて本出願の実施の形態を、具体的な実施例に基づいて詳細に説明する。以下の実施の形態において同一又は類似の要素には共通の参照符号を付けて示し、理解を容易にするために、これらの図面は縮尺を適宜変更している。
【００１１】
（第一実施形態）
図１は、本発明による第一実施形態のキャップ部材５を備える電子機器１（装置の一例）を示す平面図であり、一部が切り欠かれ電子機器の内部の状態を示している。電子機器１は、タッチパネル等を有する液晶画面及び通信機能を備えるタブレットと呼ばれるものである。電子機器１の筐体１１の内部には基板１４が収められており、基板１４には、ＳＩＭトレイ収納部１２と、メモリーカード収納部１３が設けられている。ＳＩＭトレイ収納部１２には、ＳＩＭカード２を収納したＳＩＭトレイ３が挿入され、基板１４上の回路と電気的に接続される。メモリーカード４はメモリーカード収納部１３に挿入され取り付けられる。筐体１１の端部には開口１５が形成されており、ＳＩＭトレイ収納部１２と、メモリーカード収納部１３は、開口１５付近に配置されている。電子機器１の使用者は開口１５を通じて、ＳＩＭトレイ３又はメモリーカード４を出し入れすることでＳＩＭトレイ収納部１２又はメモリーカード収納部１３にそれらを取り付ける。それにより、ＳＩＭトレイ３及びメモリーカード４は、開口１５の付近に配置される。
【００１２】
ＳＩＭカード２は、上述したように携帯電話、スマートフォン、タブレット等の電話番号を特定するために固有のＩＤ番号が記録されたＩＣカードである。また、図２に示すように一方の面にＳＩＭカード接続端子２１が設けられ、ＳＩＭトレイ収納部１２に挿入されたとき、ＳＩＭカード接続端子２１が基板１４と接続する。ＳＩＭトレイ３は、図２に示すようにＳＩＭカード２を収納するトレイ状の部材である。ＳＩＭトレイ３の端部にはＳＩＭトレイ収納部１２から取り出す際に、使用者の爪を引っ掛けるための長孔３３が設けられている。さらに、ＳＩＭトレイ３の端部には、後述するキャップ部材５の係合部５３（図５参照）と係合する係合受け部３２が設けられている。この係合受け部３２は、図２に示すように、ＳＩＭトレイ３の側方に突出する突出片である。ＳＩＭカード２は規格品であるため、その形状を変更することはできないが、ＳＩＭカード２を収納して一体的に扱えるようにするＳＩＭトレイ３には、係合受け部３２及び長孔３３を設けることができる。
【００１３】
図３は、本実施形態のキャップ部材５を示す斜視図である。キャップ部材５は、図１に示したＳＩＭトレイ３又はメモリーカード４を出し入れする電子機器１の開口１５に取り付けられる部材である。図３に示すように、キャップ部材５は、開口１５を蓋するキャップ部５１と、一端がキャップ部５１に固定され、キャップ部５１が開口１５を蓋した状態で、電子機器１に収納されるシャフト部５２を備える。シャフト部５２の一端は、キャップ部５１の端部に固定されている。また、キャップ部材５は、シャフト部５２の側部に設けられる係合部５３を備える。係合部５３は、キャップ部５１を所定方向（例えば図の矢印Ａ方向）に予め決められた角度に回転させることで、上述のＳＩＭトレイ３と係合可能になる。係合部５３は、キャップ部５１から予め決められた距離Ｌをあけて、シャフト部５２の側部からシャフト部の軸方向Ｓの側方に突出する突出片である。係合部５３は、キャップ部５１が開口５を蓋するときのキャップ部５１の位置から所定方向とは逆向きに予め決められた角度の位置において突出する。また、係合部５３の厚さは、ＳＩＭトレイ３の係合受け部３２の厚さと略同じ大きさで形成される。本実施形態の場合、キャップ部５１を取り外し、キャップ部５１を予め決められた角度である１８０度で、シャフト部５２を回転軸として例えば図３の矢印Ａ方向に回転させることで、係合部５３がＳＩＭトレイ３と係合する。なお、使用時においてシャフト部を回転させる角度を例えば±１０度程度幅を持たせて回転させた場合でもキャップ部材５を引き抜くことができるように作製される。
【００１４】
係合部５３がシャフト部５２の側部から突出する方向は一例であり、他の方向に突出してもよく、例えばキャップ部５１を９０度回転させることでＳＩＭトレイ３の係合受け部３２と係合する方向に係合部５３を設けてもよい。
【００１５】
シャフト部５２の他端には、シャフト部５２の軸方向の側方に突出するフランジ部５４が設けられている。キャップ部材５を取り外したとき、フランジ部５４が、図４に示す筐体１１のシャフト孔１６の周囲に引っ掛かるので、シャフト部５２が電子機器１から抜けることが防止される。
【００１６】
次に、図４から図７を用いて、本実施形態のキャップ部材５によりＳＩＭトレイ３を電子機器１から取り出す手順について説明する。
【００１７】
図４（ａ）は、キャップ部材５を電子機器１の開口１５に取り付け、蓋をした状態を筐体１１の内部側から見た斜視図であり、図４（ｂ）は同じ状態を筐体１１の外部側から見た斜視図である。
【００１８】
基板１４には、開口１５付近において、ＳＩＭトレイ収納部１２と、メモリーカード収納部１３とが隣り合って配置されている。ＳＩＭトレイ３は、ＳＩＭカード２を載せた状態でＳＩＭトレイ収納部１２に挿入されている。メモリーカード４は、メモリーカード収納部１３に挿入されている。なお、メモリーカード４は情報を記録する媒体であり、例えばＳＤメモリーカード、ｍｉｎｉＳＤカード、マルチメディアカード、コンパクトフラッシュ（登録商標）等である。開口１５は、ＳＩＭトレイ３及びメモリーカード４が出し入れ可能なよう筐体１１に形成されている。
【００１９】
筐体１１の開口１５には、ＳＩＭトレイ３及びメモリーカード４が通る貫通孔１９が設けられている（図４（ａ）、図１３参照）。また、開口１５の端部には、キャップ部材５のシャフト部５２が通るシャフト孔１６と、係合部５３及びＳＩＭトレイ３の係合受け部３２が通るスリット１７とが設けられている。本実施形態では、ＳＩＭトレイ３が電子機器１に取り付けられたとき、図４（ａ）に示すように、係合受け部３２がスリット１７に挿入された状態でＳＩＭトレイ３が配置される。シャフト孔１６にはシャフト部５２が挿通される。シャフト孔１６は、シャフト部５２の太さとほぼ同じであるがフランジ部５４よりは小さい径で形成される。そのため、シャフト部５２を引き抜いたとき、フランジ部５４がシャフト孔１６の周囲に引っ掛かり、シャフト部５２が筐体１１から抜け出すことが防止される（図７参照）。
【００２０】
図４（ａ）及び図４（ｂ）に示すように、キャップ部材５は、キャップ部５１が開口１５を蓋するとともに、シャフト部５２がシャフト孔１６を通り、ＳＩＭトレイ３の横に位置するよう取り付けられる。このとき係合部５３は、ＳＩＭトレイ３の反対側に向くよう位置する。また、キャップ部５１の、シャフト部５２が取り付けられた端部とは反対側にある端部に留め部５５が設けられている。留め部５５を筐体１１の留め孔１８に挿入し引っ掛けることで、キャップ部材５が筐体１１から容易に外れることが防止される。
【００２１】
図５（ａ）及び図５（ｂ）に示すように、使用者は留め部５５を留め孔１８から外し、キャップ部５１をシャフト部５２の軸方向（図４の矢印Ｄ方向）に引っ張ることで、キャップ部５１を開口１５から取り外すことができる。そして、係合部５３とキャップ部５１との距離Ｌだけ、キャップ部材５をシャフト部５２の軸方向（矢印Ｄ方向）に引き出すことができる。距離Ｌの長さで引き抜いたとき、図５（ａ）から分かるように係合部５３が筐体１１と係合し、キャップ部材５はそれ以上引き抜くことができなくなる。一方、キャップ部５１は開口１５から外れているので、使用者は、開口１５からＳＩＭトレイ３の横にあるメモリーカード４を指で挟んで取り出すことができる。また、メモリーカード４の位置に、例えばメモリーカード４の代わりにＵＳＢ等の接続端子が設けられている場合、この状態でケーブル等を接続してもよい。
【００２２】
ＳＩＭトレイ３を取り出す場合、使用者は、開口５を蓋するキャップ部５の位置から、キャップ部５１を、シャフト部５２を軸として例えば矢印Ａ方向に予め決められた角度に回転させる。具体的には、図６（ａ）及び図６（ｂ）に示すように、キャップ部５１を１８０度回転させ、係合部５３をＳＩＭトレイ３に向くよう配置し、係合部５３をＳＩＭトレイ３の係合受け部３２に係合させる。キャップ部５１の回転方向は矢印Ａ方向でもその反対方向でもよい。
【００２３】
係合部５３とＳＩＭトレイ３の係合受け部３２とが係合した後、図７（ａ）及び図７（ｂ）に示すように、使用者はキャップ部材５をさらに、シャフト部５２の軸方向（矢印Ｄ方向）に引き出す。それにより、使用者はＳＩＭトレイ収納部１２からＳＩＭトレイ３を引き出すことができる。この時、ＳＩＭトレイ３の係合受け部３２及び係合部５３は、係合した状態で共にスリット１７を通って筐体１１の外に引き出される。そして、開口１５からＳＩＭトレイ３の一部が引き出された後、使用者はＳＩＭトレイ３の外出した部分を指で挟み、そのまま引き抜くことで、ＳＩＭトレイ３を電子機器１から取り出すことができる。そして、ＳＩＭトレイ３からＳＩＭカード２を取り外すことで交換等が行える。このように、本実施形態のキャップ部材５は、収納物であるＳＩＭトレイ３の取り出しを支援することができる。
【００２４】
なお、キャップ部材５をさらに引き出すと、シャフト部５２のフランジ部５４が筐体１１に引っ掛かる。そのため、キャップ部材５が完全に取り外されることはなく、キャップ部材５の紛失が防止される。また、本実施形態では、シャフト部５２を回転させる角度を１８０度としたが、これは一例であり、例えばシャフト部５２を矢印Ａ方向に９０度回転させたときに、係合部５３と係合受け部３２が係合するよう、係合部５３をシャフト部５２の側部に設けてもよい。
【００２５】
キャップ部５１を回転させない状態、すなわち回転角度を０度として、係合部５３と係合受け部３２とが係合するようにしてもよい。しかしながら、この場合、ＳＩＭトレイ３を取り出したくない場合、すなわち単にＳＩＭトレイ３の横に配置されたメモリーカード４を取り出す場合でも、キャップ部材５を取り外して引き出すことにより、誤ってＳＩＭトレイ３を取り外してしまう。ＳＩＭトレイ３を引き出す場合には、意図的にキャップ部５１を回転させて引き出すように係合部５３を設けることが望ましい。
【００２６】
キャップ部材５はプラスチック又はエラストマー等のゴムにより一体成型で形成される。シャフト部５２とキャップ部５１とをそれぞれ硬さの異なる部材により形成する場合は二色成型により形成してもよい。
【００２７】
また、本実施形態では、キャップ部材５を用いてＳＩＭトレイ３を取り出しているが、ＳＩＭトレイ３は電子機器１内に収納される収納物の一例であり、キャップ部材５を用いて、メモリーカード等を取り出してもよい。また、本実施形態では、携帯電話、スマートフォン、タブレット等の電子機器にキャップ部材が取り付けられているが、キャップ部材は、電子機器に限定されず機械的な装置に使用されてもよい。
【００２８】
（第二実施形態）
第二実施形態のキャップ部材６について説明する。図８は、第二実施形態のキャップ部材６を示す斜視図であり、図９（ａ）及び図９（ｂ）は、キャップ部材６を電子機器１ａの筐体１１ａに取り付けた状態を示す斜視図である。図８に示すキャップ部材６は、図９（ａ）及び図９（ｂ）に示すように、電子機器１ａの開口１５ａ付近に配置された二つのＳＩＭトレイ３ａ、３ｂ（第一収納物、第二収納物の一例）の何れか一方を取り出すことが可能になっている。
【００２９】
キャップ部材６は、第一実施形態のキャップ部材５と同様に、電子機器１ａの開口１５ａを蓋するキャップ部６１と、一端がキャップ部６１に固定され、キャップ部６１が開口１５ａを蓋した状態で、電子機器１ａに収納されるシャフト部６２を備える。本実施形態のキャップ部材６は、キャップ部５１の中央部にシャフト部６２の一端が固定される。また、キャップ部材６は、シャフト部６２に設けられキャップ部６１を予め決められた角度に回転させることで、ＳＩＭトレイ３ａ、３ｂの何れか一方と係合可能になる係合部６３を備える。本実施形態の場合、キャップ部材６を取り外した後、キャップ部６１のシャフト部６２を回転軸として例えば図８の矢印Ｇ方向に９０度回転させることで、係合部６３がＳＩＭトレイ３ａの係合受け部３２ａと係合するように設けてある。言い換えれば、係合部６３は、キャップ部６１から予め決められた距離Ｌ２をあけて、キャップ部６１が開口５ａを蓋するときのキャップ部の位置から、矢印Ｇ方向と逆向きに９０度の位置において、シャフト部６２からその軸方向Ｓ２の側方に突出する突出片である。
【００３０】
シャフト部６２の他端には、シャフト部６２の軸方向の側方に突出するフランジ部６４が設けられている。フランジ部６４が、筐体１１ａのシャフト孔１６ａ（図９（ａ）及び図１４参照）の周囲に引っ掛かることでシャフト部６２の抜けが防止される。
【００３１】
また、キャップ部６１の両端に、留め部６５ａ、６５ｂが設けられている。また、筐体１１ａにおいて、開口１５ａに留め孔１８ａ、１８ｂが形成されている（図９（ａ）及び図１４参照）。留め部６５ａ、６５ｂのそれぞれを対応する留め孔１８ａ、１８ｂに通すことで、キャップ部６１は筐体１１ａの開口１５ａに取り付けられる。
【００３２】
図９（ａ）及び図９（ｂ）に示すように、本実施形態のキャップ部材６が取り付けられる電子機器１ａには、開口１５ａ付近において、二つのＳＩＭトレイ３ａ、３ｂが隣り合って配置されている。図示しないがＳＩＭトレイ３ａ、３ｂのそれぞれにはＳＩＭカードが載せられている。図のＳＩＭトレイ３ａ、３ｂはそれぞれ基板１４ａに設けられ、隣接配置されたＳＩＭトレイ収納部１２ａ、１２ｂ（収納部の一例）に挿入された状態である。キャップ部材６は、そのシャフト部６２が、ＳＩＭトレイ３ａ、３ｂの間に位置するよう取り付けられる。開口１５ａには、ＳＩＭトレイ３ａ、３ｂが通る貫通孔１９ａ、１９ｂが設けられている（図９（ａ）及び図１４参照）。また、開口１５ａの中央にシャフト部６２が挿通されるシャフト孔１６ａが形成され、シャフト孔１６ａの両側部にＳＩＭトレイ３ａ、３ｂの係合受け部３２ａ、３２ｂが通る大きさのスリット１７ａ、１７ｂが形成されている。本実施形態では、図９（ａ）に示すように、ＳＩＭトレイ３ａ、３ｂを電子機器１ａに取り付けたとき、係合受け部３２ａ、３２ｂがスリット１７ａ、１７ｂにそれぞれ挿入された状態でＳＩＭトレイ３ａ、３ｂが配置される。
【００３３】
本実施形態のキャップ部材６を用いて、ＳＩＭトレイ３ａ、３ｂの何れか一方を引き出す手順を図１０〜図１２（ｂ）を用いて説明する。
【００３４】
図１０（ａ）に示すように、使用者は留め部６５ａ、６５ｂを筐体１１ａから外し、シャフト部６２の軸方向Ｓ２（矢印Ｄ方向）にキャップ部６１を引き出す。ＳＩＭトレイ３ａを取り出す場合、矢印Ｊ方向にキャップ部６１を、開口５ａを蓋するキャップ部６の位置からシャフト部６２を軸として９０度（第一角度）回転させる。そして、図１０（ｂ）に示すように、係合部６３をＳＩＭトレイ３ａの係合受け部３２ａと係合するように配置する。
【００３５】
係合部６３を係合させた後、使用者は、さらにキャップ部６１を、シャフト部６２の軸方向Ｓ２（矢印Ｄ方向）に引き出し、図１１（ａ）及び図１１（ｂ）に示すように、ＳＩＭトレイ３ａをＳＩＭトレイ収納部１２ａから取り外す。使用者は、ＳＩＭトレイ３ａの一部が開口１５ａから外出した後、その外出した部分を指で挟み、さらにＳＩＭトレイ３ａを引き抜くことで、ＳＩＭトレイ３ａを電子機器１ａから取り外すことができる。
【００３６】
反対側にあるＳＩＭトレイ３ｂを取り出す場合、キャップ部６１を、キャップ５ａを蓋するキャップ部６１の位置（図１０（ａ）に示す状態）から矢印Ｋ方向に９０度、若しくは矢印Ｊ方向に２７０度（第二角度）回転させ、係合部６３を、ＳＩＭトレイ３ｂの係合受け部３２ｂと係合させる。その後、図１２（ａ）及び図１２（ｂ）に示すようにシャフト部６２の軸方向（矢印Ｄ方向）に、キャップ部材６を引き抜いて、ＳＩＭトレイ３ｂをＳＩＭトレイ収納部１２ｂから取り外す。ＳＩＭトレイ３ｂの一部が開口１５ａから外出した後、使用者は指で外出した部分を挟み、ＳＩＭトレイ３ｂを引き抜くことで、ＳＩＭトレイ３ｂを電子機器１ａから取り外すことができる。
【００３７】
このように、本実施形態のキャップ部材６は、収納物であるＳＩＭトレイ３ａ、３ｂの取り出しを支援することができる。また、使用者はキャップ部６１の回転方向を変えることにより、電子機器１ａに収納された二つのＳＩＭトレイ３ａ、３ｂのうち何れか一方を選択的に、電子機器１ａから取り出すことができる。
【００３８】
本実施形態では、２つのＳＩＭトレイ３ａ、３ｂのうち何れか一つを取り出すことができるようになっているが、ＳＩＭトレイ等の収納物は三つ以上であってよい。例えば、図１５に示すように、シャフト部６２を囲むように、ＳＩＭトレイ３ａ、３ｂの他に、係合受け部３２ｃ、３２ｄを有するＳＩＭトレイ３ｃ、３ｄを配置するよう、それぞれが収納されるＳＩＭトレイ収納部（図示しない）を設ける。そして、シャフト部６２を回転させることで、四つのＳＩＭトレイ３ａ〜３ｄの係合受け部３２ａ〜３２ｄのうち何れか一つに係合部６３を係合させ、選択的にＳＩＭトレイを引き出す。
【００３９】
また、ＳＩＭトレイを引き出す場合、図１６に示すように二つの係合部６３がシャフト部６２に設けられてもよい。図１６に示すように互いに反対側に向く二つの係合部６３ａ、６３ｂを設ければ、例えばキャップ部６１を９０度回転させることで、ＳＩＭトレイ３ａ及び３ｂの両方を一度に取り出すことができる。
【００４０】
以上、本出願を特にその好ましい実施の形態を参照して詳細に説明した。本出願の容易な理解のために、本出願の具体的な形態を以下に付記する。
【００４１】
（付記１）装置内に収納される少なくとも一つの収納物を前記装置から取り出す開口に取り付けられるキャップ部材であって、
前記開口を蓋するキャップ部と、
一端が前記キャップ部に固定され、前記キャップ部が前記開口を蓋した状態で前記装置内に収納されるシャフト部と、
前記シャフト部に設けられ、前記キャップ部を取り外すときに、前記開口を蓋するときの前記キャップ部の位置から前記シャフト部を軸として前記キャップ部を所定方向に予め決められた角度に回転させることで、前記装置内に収納された前記少なくとも一つの収納物に係合可能になる、係合部と、
を備える、キャップ部材。
（付記２）前記係合部は、前記キャップ部から予め決められた距離をあけて設けられ、前記キャップ部が前記開口を蓋するときの前記キャップ部の位置から前記所定方向と逆向きに前記予め決められた角度の位置において、前記シャフト部から前記シャフト部の軸方向の側方に突出する突出片である、付記１に記載のキャップ部材。
（付記３）前記シャフト部の他端に、前記シャフト部の軸方向の側方に突出するフランジ部を有する、付記１又は２に記載のキャップ部材。
（付記４）前記シャフト部の一端は、前記キャップ部の端部に固定される、付記１から３のいずれかに記載のキャップ部材。
（付記５）前記シャフト部の一端は、前記キャップ部の中央に固定される、付記１から３のいずれかに記載のキャップ部材。
（付記６）前記少なくとも一つの収納物は、前記シャフト部の周囲に配置された複数の収納物を有し、
前記キャップ部材は、前記シャフト部に設けられた第二係合部をさらに備え、
前記第二係合部は、前記開口を蓋するときの前記キャップ部の位置から前記シャフト部を軸として前記キャップ部を前記所定方向に前記予め決められた角度に回転させ前記係合部が前記複数の収納物のうちの一つの収納物と係合可能になったとき、前記複数の収納物のうちの他の収納物に係合可能になる、付記１から５の何れかに記載のキャップ部材。
（付記７）装置であって、
前記装置内に、少なくとも一つの収納物を収納する少なくとも一つの収納部と、
前記少なくとも一つの収納物を前記装置から取り出す開口に取り付けられるキャップ部材と、を備え、
前記キャップ部材は、
前記開口を蓋するキャップ部と、
一端が前記キャップ部に固定され、前記キャップ部が前記開口を蓋した状態で前記装置内に収納されるシャフト部と、
前記シャフト部に設けられ、前記キャップ部を取り外すときに、前記開口を蓋するときの前記キャップ部の位置から前記シャフト部を軸として前記キャップ部を所定方向に予め決められた角度に回転させることで、前記装置内に収納された前記少なくとも一つの収納物に係合可能になる、係合部と、
を備える、装置。
（付記８）前記少なくとも一つの収納物は、前記シャフト部の周囲に配置された複数の収納物を有し、前記係合部は、前記キャップ部を取り外すときに、前記開口を蓋するときの前記キャップ部の位置から前記シャフト部を軸として前記所定方向に前記キャップ部を前記予め決められた角度に回転させることで、前記複数の収納物のうちの第一収納物に係合可能になり、前記キャップ部を蓋するときの前記キャップ部の位置から前記シャフト部を軸として前記キャップ部を前記予め決められた角度とは異なる予め決められた第二角度に回転させることで、前記複数の収納物のうちの他の第二収納物に係合可能になる、係合部と、を備える、付記７に記載の装置。
（付記９）前記少なくとも一つの収納物は、前記シャフト部の周囲に配置された複数の収納物を有し、
前記キャップ部材は、前記シャフト部に設けられた第二係合部を更に備え、
前記第二係合部は、前記開口を蓋するときの前記キャップ部の位置から前記シャフト部を軸として前記キャップ部を前記所定方向に前記予め決められた角度に回転させ前記係合部が前記複数の収納物のうちの一つの収納物と係合可能になったとき、前記複数の収納物のうちの他の収納物に係合可能になる、付記７に記載の装置。
【符号の説明】
【００４２】
１、１ａ    電子機器（装置の一例）
１１、１１ａ    筐体
１２、１２ａ、１２ｂ    ＳＩＭトレイ収納部
１３    メモリーカード収納部
１４    基板
１５、１５ａ    開口
１６、１６ａ    シャフト孔
１７、１７ａ、１７ｂ    スリット
１８、１８ａ、１８ｂ    留め孔
１９、１９ａ、１９ｂ    貫通孔
２    ＳＩＭカード
２１    ＳＩＭカード接続端子
３、３ａ、３ｂ    ＳＩＭトレイ
３１    ＳＩＭ収納部
３２、３２ａ、３２ｂ    係合受け部
４    メモリーカード
５、６    キャップ部材
５１、６１    キャップ部
５２、６２    シャフト部
５３、６３、６３ａ    係合部
６３ｂ    第二係合部
５４、６４    フランジ部
５５、６５ａ、６５ｂ    留め部
【図１】
0006586922.tif 000002
【図２】
0006586922.tif 000003
【図３】
0006586922.tif 000004
【図４】
0006586922.tif 000005
【図５】
0006586922.tif 000006
【図６】
0006586922.tif 000007
【図７】
0006586922.tif 000008
【図８】
0006586922.tif 000009
【図９】
0006586922.tif 000010
【図１０】
0006586922.tif 000011
【図１１】
0006586922.tif 000012
【図１２】
0006586922.tif 000013
【図１３】
0006586922.tif 000014
【図１４】
0006586922.tif 000015
【図１５】
0006586922.tif 000016
【図１６】
0006586922.tif 000017